(57)【要約】【課題】  多数のソリッドステートリレー(以下SSR)を機械の制御盤に組み込む時に手間と時間を省くことができ，故障などの不具合に対する調査や交換が簡単なSSR出力モジュールを提供する。【解決手段】  上記課題を達成する為に，複数のSSRとそれらのSSRの制御信号を入力する入力信号コネクタBとSSRの出力用出力信号コネクタBとそれらの入出力信号をSSRに接続するプリント板とを一体にしたSSR出力ユニットと，複数のSSR出力ユニットの制御信号を入力する入力信号コネクタAと，SSR出力ユニットに入力信号を伝える分配入力コネクタと，SSR出力ユニットの出力信号コネクタBからの出力信号を伝える分配出力コネクタと，機械の油圧で駆動する動作部に使われる油の流れを制御するソレノイドに信号を伝える出力信号コネクタAと，それらの信号を接続するプリント板とを一体にしたバックプレーンユニットとを備える事を特徴とする。【選択図】図1
2011091485.tif 000002
【特許請求の範囲】
【請求項１】
複数のソリッドステートリレーとそれらのソリッドステートリレーの制御信号を入力する入力信号コネクタBと前記ソリッドステートリレーの出力用出力信号コネクタBとそれらの入出力信号を接続するプリント板とを一体にしたソリッドステートリレー出力ユニットと，
複数の前記ソリッドステートリレー出力ユニットの制御信号を入力する入力信号コネクタAと，
前記ソリッドステートリレー出力ユニットに入力信号を伝える分配入力コネクタと，
前記ソリッドステートリレー出力ユニットの出力信号コネクタBからの出力信号を伝える分配出力コネクタと，
機械の油圧で駆動する動作部に使われる油の流れを制御するソレノイドに信号を伝える出力信号コネクタAと，
それらの信号を接続するプリント板とを一体にしたバックプレーンユニットとを備えることによって，機械の制御盤に組み込む時に手間と時間を省くことができ，故障などの不具合に対する調査や交換が簡単なソリッドステートリレー出力モジュールを提供する事を特徴とするソリッドステートリレーを実装したソリッドステート出力モジュール。
【発明の詳細な説明】
【技術分野】
【０００１】
本発明は，工作機械や押出成形機のような機械で使用する複数のソリッドステートリレー(以下，SSRと示す。)を構成するSSR出力モジュールに関するもので，特にSSRを多数使用する場合のSSR出力モジュールに関する。
【背景技術】
【０００２】
工作機械や押出成形機のような機械において，機械の油圧で駆動する動作部に使われる油の流れを制御するソレノイドを駆動する為にSSRが使われ，複雑な構造の機械になればなる程，多数のSSRが使用される。従来はその多数のSSRを機械の制御盤に組み込む場合，SSRを板金などの固定物に固定し，電線で配線しSSR出力モジュールとして構成して，端子台を別に設けて端子台からソレノイドに配線していた。前記端子台から前記SSR出力モジュールへは別の電線で接続が必要であった。(例えば，特許文献1参照。)
【先行技術文献】
【特許文献】
【０００３】
【特許文献１】特開平７-７３９１３
【発明の概要】
【発明が解決しようとする課題】
【０００４】
上記のように，多数のSSRを機械の制御盤に組み込む時，SSRを板金などの固定物に固定し，電線で配線してSSR出力モジュールを構成する為，非常に手間がかかり，時間もかかる。また，前記SSR出力モジュールから前記端子台への配線も同様に手間と時間が必要となる。加えて，前記SSR出力モジュールや前記端子台で使用されている部品，例えばSSRが故障した場合，電線で配線されているので，部品を外し交換して確認することが容易にできない為，調査に時間がかかり，交換にも時間と手間がかかってしまう。
【０００５】
本発明は，機械の制御盤に組み込む時に手間と時間を省くことができ，故障などの不具合に対する調査や交換が簡単なSSR出力モジュールを提供する事を目的とする。
【課題を解決するための手段】
【０００６】
上記目的を達成する為に，複数のSSRとそれらのSSRの制御信号を入力する入力信号コネクタBと前記SSRの出力用出力信号コネクタBとそれらの入出力信号を接続するプリント板とを一体にしたSSR出力ユニットと，複数の前記SSR出力ユニットの制御信号を入力する入力信号コネクタAと，前記SSR出力ユニットに入力信号を伝える分配入力コネクタと，前記SSR出力ユニットの出力信号コネクタBからの出力信号を伝える分配出力コネクタと，機械の油圧で駆動する動作部に使われる油の流れを制御するソレノイドに信号を伝える出力信号コネクタAと，それらの信号を接続するプリント板とを一体にしたバックプレーンユニットとを備えるSSR出力モジュールを構成することによって，機械の制御盤に組み込む時に手間と時間を省くことができ，故障などの不具合に対する調査や交換が簡単なSSR出力モジュールを提供する事を特徴とする。
【発明の効果】
【０００７】
本発明によれば，機械の制御盤に組み込む時に手間と時間を省くことができ，故障などの不具合に対する調査や交換が簡単なSSR出力モジュールを提供する事ができる。
【図面の簡単な説明】
【０００８】
【図１】本発明によるSSR出力モジュールの構成例ブロック図
【図２】SSR出力モジュール内で使用されるSSR出力ユニットの構成例ブロック図
【発明を実施するための形態】
【０００９】
以下，本発明の実施例を図1及び図2を用いて説明する。
【実施例】
【００１０】
図1は，本発明を適用するSSR出力モジュール1の構成例を示すブロック図で，図2は図1のSSR出力ユニット5の構成例を示すブロック図である。SSR出力モジュール1は機械の油圧で駆動する動作部に使われる油の流れを制御するソレノイドをコントロールする。SSR出力モジュール１の制御には一般的にシーケンサーなどのコントローラが使用される。
【００１１】
ここでは，SSR出力モジュール１の制御はシーケンサーが行なうものとして説明する。
図1に示すように，SSR出力モジュール１は，前記ソレノイドとソレノイドをコントロールする為にSSR出力ユニット5の制御信号をコントロールする図示しないシーケンサーとの間に配置される。
【００１２】
前記シーケンサーからの制御信号がSSR出力モジュール１の入力信号コネクタA  2に入力され，その入力信号コネクタA  2から分配入力コネクタ4へ分配入力信号線8を介して複数のSSR出力ユニット5に分配される。複数の前記SSR出力ユニット5からの出力信号は分配出力コネクタ6から分配出力信号線9及び出力信号コネクタA  3を介して前記ソレノイドに伝達される。
【００１３】
また，前記SSR出力ユニット5では，前記シーケンサーからの制御信号が前記入力信号コネクタA  2から前記分配入力信号線8及び前記分配入力コネクタ4を介して図2の入力信号コネクタB  51に入力され，その制御信号に従ってSSR  53が出力し，出力信号コネクタB  52を介して出力信号を出す。
【００１４】
図2では前記入力信号コネクタB  51から前記SSR  53への信号線及びSSR  53から前記出力コネクタB  52への信号線はプリント板54で接続される。また，図1では前記分配入力信号線8及び前記分配出力信号線9は図2と同様プリント板7で接続され，前記入力信号コネクタA  2と複数の前記分配入力コネクタ4と前記分配出力コネクタ6と前記出力信号コネクタA  3とでバックプレーンユニット７を構成する。
【００１５】
ここでは前記分配入力信号線8及び前記分配出力信号線9をプリント板で構成しているが，どちらか一方さえプリント板で構成し，他方を配線で構成しても十分な効果が得られる。
【００１６】
以上のような構成により，SSR出力モジュール1は大幅に大きさを小さくできる為，機械の制御盤に組み込む時に手間と時間を省くことができる。また，SSR出力モジュール1で使用されている部品，例えばSSRが故障した場合などの不具合に対する調査が，配線が無い為，容易になり，コネクタでほとんど構成されている為，交換が簡単になる。
【符号の説明】
【００１７】
1     SSR出力モジュール
2     SSR出力モジュールの入力信号コネクタA
3     SSR出力モジュールの出力信号コネクタA
4     SSR出力モジュールの分配入力コネクタ
5     SSR出力ユニット
6     SSR出力モジュールの分配出力コネクタ
7     SSR出力モジュールの信号を接続するバックプレーンユニット
8     入力信号コネクタA  2から分配入力コネクタ4への信号線(分配入力信号線)
9     分配出力コネクタ6から出力信号コネクタA  3への信号線(分配出力信号線)
51    SSR出力ユニットの入力信号コネクタB
52    SSR出力ユニットの出力信号コネクタB
53    SSR
54    SSR出力ユニットの信号を接続するプリント板
【図１】
2011091485.tif 000003
【図２】
2011091485.tif 000004